(57)【要約】【課題】複数の発光部から構成される光源群を備える照明装置において、額縁が狭く、薄型の照明装置を実現すること【解決手段】導光体１０の両端に２つの光源群２０，２１を備え、導光板１０は、その中心線に対して対称な断面形状の２つの光混合領域１１，１２と、これらの間に光出射領域１３を有する。光混合領域１１，１２は、それぞれに近接する光源群からの光を混合する領域として機能するとともに、それぞれから離れた光源群からの混合光を出射する領域として機能する。光出射領域１３は、２つの光源群からの混合光の一部を通過する領域として機能するとともに、残りを出射する領域として機能する。【選択図】図１
2008171590.tif 000002
【特許請求の範囲】
【請求項１】
導光体と、この導光体における２つの対向する端面のそれぞれに近接して配置した複数の発光部を線状又は帯状に並べた第１の光源群及び第２の光源群を備えた照明装置において、
前記導光体は、第１の光源群に近接した第１の光混合領域と、第２の光源群に近接した第２の光混合領域と、第１の光混合領域と第２の光混合領域との間の光出射領域とを有し、
前記第１の光混合領域と第２の光混合領域では、近接する光源群を構成する複数の発光部から入射した光を互いに混じり合わせ、離れた光源群から入射して互いに混じり合った光を出射させ、
前記光出射領域では、互いに混じり合った光の一部を通過させ、残りの光を出射させることを特徴とする照明装置
【請求項２】
前記第１の光混合領域は、第１の光源群を構成する複数の発光部から出射して導光体に入射する光に対しては、導光体の表面側からはほとんど出射することなく、互いに混じり合いながら導波するように構成され、第２の光源群を構成する複数の発光部から出射して導光体に入射する光については、導光体の表面側から出射するように構成され、
前記第２の光混合領域は、第２の光源群を構成する複数の発光部から出射して導光体に入射する光に対しては、導光体の表面側からはほとんど出射することなく、互いに混じり合いながら導波するように構成され、第１の光源群を構成する複数の発光部から出射して導光体に入射する光については、導光体の表面側から出射するように構成され、
前記光出射領域は、第１の光源群及び第２の光源群を構成する複数の発光部から出射して導光体に入射する光の一部が導光体を導波しながら通過し、その他の光は導光体の表面側から出射するように構成されていることを特徴とする請求項１に記載の照明装置
【請求項３】
前記第１の光源群から出射して導光体に入射した光のうち、第１の光混合領域、光出射領域及び第２の光混合領域から導光体の表面側に出射する光の導光体表面における単位面積あたりの出射光量をそれぞれＬ０１１、Ｌ０１、Ｌ０１２とし、
前記第２の光源群から出射して導光体に入射した光のうち、第１の光混合領域、光出射領域及び第２の光混合領域から導光体の表面側に出射する光の導光体表面における単位面積あたりの出射光量をそれぞれＬ０２１、Ｌ０２、Ｌ０２２とすると、
Ｌ０１１＜Ｌ０１＜Ｌ０１２、
Ｌ０２１＞Ｌ０２＞Ｌ０２２、
Ｌ０１１＜Ｌ０２１、
Ｌ０１２＞Ｌ０２２
の関係を満たすことを特徴とする請求項１に記載の照明装置
【請求項４】
前記第１の光源群から出射して導光体に入射した光のうち、第１の光混合領域、光出射領域及び第２の光混合領域から導光体の表面側に出射する光の導光体表面における単位面積あたりの出射光量をそれぞれＬ０１１、Ｌ０１、Ｌ０１２とし、
前記第２の光源群から出射して導光体に入射した光のうち、第１の光混合領域、光出射領域及び第２の光混合領域から導光体の表面側に出射する光の導光体表面における単位面積あたりの出射光量をそれぞれＬ０２１、Ｌ０２、Ｌ０２２とすると、
（Ｌ０１１＋Ｌ０２１）≒（Ｌ０１２＋Ｌ０２２）≦（Ｌ０１＋Ｌ０２）
の関係を満たすことを特徴とする請求項１に記載の照明装置
【請求項５】
前記複数の発光部の配列ピッチをｐ、発光部から放射し導光体に入射する際の光の半値角をθ１、この光が導光体に入射して導光体内を進む角度をθ２、導光体と発光部との間の屈折率をｎ１、導光体の屈折率をｎ２としたとき、
前記光混合領域における導光体の端面からの幅Ｌが、
Ｌ＝ｐ／２ｔａｎθ２＝ｐ／２ｔａｎ（ｓｉｎ-1（ｎ１／ｎ２・ｓｉｎθ１））
で表される値以上であることを特徴とする請求項１に記載の照明装置
【請求項６】
前記第１の光混合領域と第２の光混合領域では、その表面粗さＲａが３８ｎｍ以下であることを特徴とする請求項１に記載の照明装置
【請求項７】
前記第１の光混合領域と第２の光混合領域は、導光体の端面から中心方向に向かってその厚みが厚くなるテーパー状の形状をなし、
前記光出射領域は、テーパー状の形状と連続した平板状の形状をなすことを特徴とする請求項１に記載の照明装置
【請求項８】
前記複数の発光部が発光色の異なる発光ダイオードであることを特徴とする請求項１に記載の照明装置
【請求項９】
前記導光体の端面には、複数の円弧状の凹み部分を有し、これら凹み部分と１対１に対応して光源群を構成する複数の発光部が配置されていることを特徴とする請求項１に記載の照明装置
【請求項１０】
前記凹み部分をなす円弧の中心位置に、光源群を構成する複数の発光部を配置することを特徴とする請求項９に記載の照明装置
【請求項１１】
前記導光体の表面側に光路変換手段を備えることを特徴とする請求項１に記載の照明装置
【請求項１２】
前記光路変換手段は、その表面に多数のプリズム面を有して、その稜線が複数の発光部の配列方向（長手方向）と平行になる透明シートであることを特徴とする請求項１１に記載の照明装置
【請求項１３】
導光体と、この導光体における２つの対向する端面のそれぞれに近接して配置した複数の発光部を並べた第１の光源群及び第２の光源群を備えた照明装置において、
前記導光体は、その端面から中心方向に向かってその厚みが厚くなる２つのテーパー状の領域と、これらテーパー状の領域間に、これらの領域と連続する平板状領域とを有することを特徴とする照明装置
【請求項１４】
前記導光体は、その２つの端面から等距離となる中心線に対して対称で中心線に向かって厚みが増大する断面形状を有する２つのテーパー状の領域と、これらテーパー状の領域間に、これらの領域と連続する平板状の領域とを有することを特徴とする請求項１３に記載の照明装置
【請求項１５】
前記２つのテーパー領域では、近接する光源群から入射した光を出射させることなく互いに混じり合わせ、離れた光源群から入射して互いに混じり合った光を出射させ、
前記平板状領域では、互いに混じり合った光の一部を通過させ、残りの光を出射させることを特徴とする請求項１３に記載の照明装置
【請求項１６】
前記テーパー状の領域の裏面側に、光源群で発生する熱を放熱するための放熱手段を配置することを特徴とする請求項１３に記載の照明装置
【請求項１７】
光の透過光量を調節することで画像を表示する表示パネルと、前記表示パネルを背面から照明する照明装置とから構成される表示装置において、
前記照明装置は、導光体と、この導光体における２つの対向する端面のそれぞれに近接して配置した複数の発光部を並べた第１の光源群及び第２の光源群を備え、
前記導光体は、第１の光源群に近接した第１の光混合領域と、第２の光源群に近接した第２の光混合領域と、第１の光混合領域と第２の光混合領域との間の光出射領域とを有し、
前記第１の光混合領域と第２の光混合領域では、近接する光源群を構成する複数の発光部から入射した光を互いに混じり合わせ、離れた光源群から入射して互いに混じり合った光を出射させ、
前記光出射領域では、互いに混じり合った光の一部を通過させ、残りの光を出射させ、
前記表示パネルの表示面の長辺方向と複数の発光部の配列方向（長手方向）を一致させることを特徴とする表示装置
【発明の詳細な説明】
【技術分野】
【０００１】
本発明は、光の透過光量を調節することで、画像を表示する表示装置の照明装置に関し、特に、複数の異なる発光色を有する光源を用いる照明装置及びこれを備えた表示装置に関する。
【背景技術】
【０００２】
表示装置は、情報を視覚的に人間に伝えるメディアであり、高度な惰報社会となった現代では、人間、社会にとって重要な存在となっている。表示装置は、大別してＣＲＴ(Cathode Ray Tube)、ＰＤＰ(Plasma Display Panel)等の発光型の表示装置と、液晶表示装置、ＥＣＤ(Electrochromic Display)、ＥＰＩＤ(Eectrophoretic Image Display)等の非発光型の表示装置とに分類できる。
【０００３】
非発光型の表示装置は、光の透過（又は反射）光量を調節することで、画像を表示するものであり、この中で、特に、液晶表示装置は、近年性能が著しく向上し、携帯電話からパーソナルコンピューター、さらには、大画面テレビ等の表示装置として採用されることが多くなった。
【０００４】
液晶表示装置は、一般に光の透過光量又は反射光量を制御することで、画像を形成する液晶表示パネルと、液晶表示パネルの背面に配置し、液晶表示パネルに光を照射する照明装置から構成される。
【０００５】
照明装置には、エッジライト方式（導光体方式）、直下方式（反射板方式）、面状光源方式があり、特に、薄型の照明装置を実現する場合には、エッジライト方式が用いられる。エッジライト方式は、導光体の端部に光源を配置するもので、従来、光源としては、主として、冷陰極管が用いられてきた。しかし、近年では、携帯電話などの小型の液晶表示装置では、照明装置の光源として発光ダイオード（ＬＥＤ）が用いられている。さらに、冷陰極管では必要とされるインバーターが不要なことや、環境負荷低減の観点から水銀レスな光源であるＬＥＤは大型の液晶表示装置でも採用が進んでいる。
【０００６】
また、ＬＥＤを光源とする場合は、赤色、緑色、青色などの原色光を発するＬＥＤを光源として用いる場合、色純度が高く、色再現範囲の広い表示装置を実現できるという長所がある。このように、発光色が異なる複数のＬＥＤを用いる場合、各色の光を混合して均一な白色光にするために、導光体の一部に色混合領域を設ける。この色混合領域は、照明光が出射しない無効な領域となるため、照明装置の小型化の妨げになっている。
【０００７】
この無効な領域を削減する方法として、下記非特許文献１又は下記特許文献１には、楔形状導光体と光源を有する照明装置において、導光体の厚さが異なる対向面のうち、厚みが小さい（薄い）側の端面に光源を配置し、厚みが大きい（厚い）側の端面に反射板を備えた照明装置が記載されている。
【０００８】
この場合、複数の発光色が、異なる光源から出射して、導光体に入射した光は、各色の光が混合しながら導光体から出射することなく反射板にいたる。反射板で反射した光は、再び導光体内を導波するが、今度は導光体の裏面で反射して表側に出射する。この際、複数の光源から出射した光は、混合されており均一な出射光が得られる。
【０００９】
つまり、下記非特許文献１又は特許文献１に記載の照明装置では、導光体において、複数の異なる色の光を混合する領域と、光を出射する領域が兼用される。このため、均一な混合色の光が得られて無効領域が小さな照明装置が実現できることが開示されている。
【非特許文献１】Nicola et al.,"New direction selective light extraction light pipe for LCD backlighting with LEDs",Proc.IDW'02,p505-508,2002
【特許文献１】特開２００６−４８７７号公報
【発明の開示】
【発明が解決しようとする課題】
【００１０】
エッジライト方式の照明装置では、光源から出射する光が導光体に入射する際の効率を高めるため、光源側の導光体の厚みは光源よりも大きくする。このため通常のエッジライト方式の照明装置では導光体の厚みは光源側が最も大きくなる。
【００１１】
一方、上記背景技術では、導光体の厚みは光源側よりも反射板側を大きくする必要があるため、一般のエッジライト方式に利用される導光体よりも厚くなってしまうという間題がある。さらに、光源は導光体の一端面に配置することになるため、配置できる光源の数に制約を受ける。このため、明るい表示装置を実現するために必要な光量の照明装置を得ることが困難になるという問題を有する。これらの問題は、特に、大画面用の照明装置では顕著となる。
【００１２】
本発明は、このような背景技術の課題を解決するためになされたものであり、その目的は、複数の異なる色を発する光源を備えた照明装置において、各色の光を混合するための無効領域が小さく、かつ、薄型で、明るい照明装置及びこれを備えた表示装置を実現することにある。
【課題を解決するための手段】
【００１３】
本発明は、導光体の端面に近接して配置した第１の光源群と第２の光源群とを備えた照明装置において、導光体の領域を、第１の光混合領域と、光出射領域と、第２の光混合領域とに分けて、第１の光混合領域と第２の光混合領域では、近接した光源群からの光をほとんど出射させることなく混合し、離れた光源群からの混合光を出射させ、また、光出射領域では、混合光の一部を通過させ、残りの混合光を出射させることを特徴とする。
【００１４】
また、本発明は、導光体の端面に近接して配置した第１の光源群と第２の光源群とを備えた照明装置において、導光体の両端部の形状をテーパー状とし、導光体の中心部の形状を平板状とすることを特徴とする。
【００１５】
さらに、本発明は、上記照明装置をバックライトとして用いた表示装置において、表示パネルの長辺方向と光源群の配列方向（長手方向）を一致させることを特徴とする。
【発明の効果】
【００１６】
以上、本発明によれば、複数の発光部を備える光源を用いた照明装置において、照明光の均一性が高く、狭額縁かつ薄型の照明装置が実現できる。したがって、本発明の照明装置を用いた表示装置は、画面の明るさや色の均一性が高く、狭額縁かつ薄型の表示装置を実現することができる。
【発明を実施するための最良の形態】
【００１７】
以下、本発明の実施例について、詳細に説明するが、種々の変更は可能であり、また、実施例同士の組み合わせは、本発明に包含されるものである。
【実施例１】
【００１８】
図１は、本発明に係る照明装置の一例を示し、主要部の概略構成を示す一部断面図である。また、図２は、本発明に係る照明装置の主要部の構成を示す概略斜視図である。
【００１９】
図１，２において、照明装置１は、光の透過光量を調節することで画像を表示する図示しない表示パネルの背面に配置し、裏面から表示パネルを照明する照明装置に好適である。表示パネルとしては、入射する光の透過光量を調節することで、画像を表示する表示パネルを用いることができ、特に、長寿命でマトリクス表示が可能な液晶表示パネルを用いることができる。
【００２０】
照明装置１は、導光体１０と、導光体１０の対向する２つの端面の近傍にそれぞれ配置する複数の発光部から構成される第１の光源群２０及び第２の光源群２１と、導光体１０の裏面に設けた光反射手段５０と、導光板１０の表面側にその全面を覆うように配置した光路変換手段３０とから構成される。なお、照明装置を構成するには、フレームなどの機械的構造物や光源を発光させるために必要な電源や配線などの電気的構造物が必要であるが、本発明の特徴ではない部分については、一般的な手段を用いればよいので詳細な説明は省略する。
【００２１】
第１の光源群２０及び第２の光源群２１は、これを構成する複数の発光部として小型、高発光効率、低発熱といった条件を満たすものを用いるとよく、このような発光部としては、発光ダイオード（ＬＥＤ：Light Emitting Diodes）が好適である。発光部としては、白色の光を発する発光ダイオードを用いることができる。白色の発光を実現する発光ダイオードとしては、青色の発光と、この青色の光で励起され黄色の光を発する蛍光体を組み合わせることで、白色発光を実現する発光ダイオード、または、青色又は紫外線の発光と、この発光する光で励起され発光する蛍光体とを組み合わせることで、青色、緑色及び赤色に発光ピーク波長を有する白色発光を実現する発光ダイオードを用いることができる。
【００２２】
または、本照明装置を備える表示装置が加法混色によりカラー表示を実現する場合には、発光部として、赤色、青色、緑色の三原色を発光する発光ダイオードを用いるとよい。例えば、表示パネルとしてカラー液晶パネルを用いる場合、液晶表示パネルのカラーフィルターの透過スペクトルに対応した発光ピーク波長を有する光源を用いることで、色再現範囲が広い表示装置が実現できる。あるいは、カラーフィールドシーケンシャルによりカラー表示を実現する場合は、液晶表示パネルに光損失の原因であるカラーフィルターが必要ないため、赤色、青色、緑色の三原色を発光する発光ダイオードを用いることで光の損失が少なく色再現範囲が広い表示装置が実現できる。
【００２３】
図３は、本発明における光源群の一例を示す平面図であり、発光部として、それぞれ赤色、青色、緑色で発光する発光ダイオードを複数個、線状に配置するものである。また、図４は、図３中のＡ−Ａ’における概略断面図である。
【００２４】
図３において、光源群は、発光ダイオードからなる緑色発光部２３ＧＬ，２４ＧＬ、青色発光部２３ＢＬ，２４ＢＬ、及び、赤色発光部２３ＲＬ，２４ＲＬと、緑色発光部と接続される緑色配線２２ＧＷ、青色発光部と接続される青色配線２２ＢＷ、及び、赤色発光部と接続される赤配線２２ＲＷとを有する。これら発光部と配線は、絶縁層２７上に形成される。なお、発光部の数は図示の数に限定されない。
【００２５】
ここで、複数の発光部は一定の幅、つまり、近接する導光体１０の端面の高さに収まるように並べることが望ましい。これによって、発光部から出射した光を効率よく導光体に入射させ、照明装置の厚みを最小限にできる。したがって、図３に示すように、配線を屈曲させることで、各色の発光部が実質的に１直線上に並ぶように構成するとよい。なお、照明対象の面積が大きい場合や多くの光量を必要とする場合に、１列に並べられる数の発光部では不足する場合がある。その場合は、発光部を２列以上配列することで帯状に配置してもよい。いずれにしても、発光部は一定の幅、つまり、近接する導光体１０の端面の高さに収まるよう線状又は帯状に配列することが望ましい。各発光部は、配線を通じて図示しない直流電源と、点灯及び消灯を制御する制御手段とに接続される。
【００２６】
図４において、配線や発光部は、絶縁層２７の上に形成される。絶縁層２７としては、高分子材料からなる絶縁材料を用いることができ、例えば、エポキシ系樹脂やポリイミド系樹脂やアクリル形樹脂を用いることができる。なお、発光部から放射する光を、導光体側へ効率よく反射するため、絶縁層２７の配線や発光部が形成される面には、反射率の高い銀やアルミなどの金属膜、または、透明樹脂中に屈折率の異なる微粒子又は気泡を混在させることで、白色反射を実現する光反射膜、あるいは、誘電体多層膜による光反射面を設けてもよい。
【００２７】
また、発光部は、透明樹脂２５により覆われる。透明樹脂２５は、発光部から出射する光を効率よく導光体へ向かわせるよう凸レンズ形状又は砲弾状をなす。透明樹脂としては、可視光に対して透明な樹脂を用いればよく、エポキシ系、シリコン系、アクリル系などの樹脂を用いることができる。例えば、シリコン系の透明樹脂は、耐光性、耐熱性に優れるため、光量が大きい場合に適している。一方、エポキシ系の透明樹脂は、耐光性や耐熱性ではシリコン系に劣るが、コストが低いという利点がある。
【００２８】
絶縁層２７の裏面には、必要に応じてアルミや銅といった熱伝導率の高い金属やカーボンなどからなる放熱基板２６を設けることが望ましい。これは、一般に、発光ダイオードの場合には、温度が上昇すると発光効率が低下するためである。つまり、放熱基板２６を設けることで、発光ダイオード（発光部）で生じる熱は、効率よく分散、放熱されるので、発光ダイオードの温度上昇は抑制される。これにより、発光ダイオードの温度上昇による発光効率の低下が抑制されるという効果が得られる。この放熱効果を更に高めるため、光源群を放熱フィンなどの放熱部材に接続してもよい。
【００２９】
図５は、光源群と放熱部材の関係を説明する概略断面図である。光源群は、絶縁層２７と、その上に形成された複数の配線や発光部から構成される。この絶縁層２７を、図示しない放熱基板を介して、または、図５に示すように、直接、放熱部材４０に密着固定する。
【００３０】
放熱部材４０は、アルミニウムや銅などの熱伝導率が高い金属から構成され、図２に示すように、複数の放熱フィンを備えるとよい。なお、放熱フィンの形状は、図２に示すものに限定されない。例えば、溝の方向が、図２に示すものと異なっていてもよいし、複数の柱状構造であってもよく、実際の使用条件において、高い放熱性が得られるものを選択すればよい。
【００３１】
また、導光体１０の形状に合わせ、光源群に近い部分では、フィンの高さが高く、光源群から遠くなるにつれてフィンの高さ、すなわち、放熱手段の厚みを薄くするようにすると、裏面側がほぼ平らで薄型の照明装置が実現できる。
【００３２】
図６は、本発明に係る照明装置における導光体の概略断面図である。導光体１０は、可視光に対して透明な板状部材から構成され、３つの機能が異なる領域を備える。具体的には、導光体１０は、第１の光源群が近接する端面から順に、第１の光混合領域１１、光出射領域１３及び第２の光混合領域１２の３つの領域を備える。つまり、導光体１０の第１の光源群２０が近接する領域に第１の光混合領域１１を有し、第２の光源群２１が近接する領域に第２の光混合領域１２を有し、第１の光混合領域１１と第２の光混合領域１２との間に光出射領域１３を有する。
【００３３】
第１の光混合領域１１と第２の光混合領域１２は、それぞれ、近接する光源群に対しては、光混合領域として機能し、離れた光源群に対しては、光出射領域として機能する。ここで、光混合領域として機能するとは、光源群を構成する複数の発光部から出射して、導光体に入射する光が、互いに混じり合い、なおかつ、導光体の表面側からはほとんど出射しない状態を実現することを意味する。また、光出射領域として機能するとは、光源群を構成する複数の発光部から出射して、導光体に入射する光が、導光体を導波しながら、導光体の表面側から出射する状態を実現することを意味する。
【００３４】
つまり、第１の光混合領域１１は、第１の光源群２０を構成する複数の発光部から出射して、導光体１０に入射する光が、互いに混じり合う領域であり、この際、第１の光源群２０からの光は、第１の光混合領域１１では導光体１０の表面側からはできるだけ出射しないように構成される。また、第１の光混合領域１１は、第２の光源群２１を構成する複数の発光部から出射して、導光体１０に入射する光を、導光体１０の表面側から出射するように構成される。
【００３５】
一方、第２の光混合領域１２は、第１の光源群２０を構成する複数の発光部から出射して、導光体１０に入射する光を、導光体１０の表面側から出射するように構成され、第２の光源群２１を構成する複数の発光部から出射して、導光体１０に入射する光を、導光体１０の表面側からはできるだけ出射せず、なおかつ、互いに混じり合うように構成される。
【００３６】
また、光出射領域１３は、第１の光源群２０及び第２の光源群２１から出射して、導光体１０に入射する光に対し、導光体１０の表面側へ光を出射する領域として構成される。つまり、光出射領域１３は、両光源群からの光を共に導光体１０の表面側に出射する機能を有する。
【００３７】
つまり、導光体１０の表面は平らであり、導光体１０の第１の光混合領域１１及び第２の光混合領域１２は、巨視的には光源群側が薄く、中央に向かって厚みが増すテーパー形状とし、光出射領域１３は平板状とする。換言すると、導光体１０は、２つの光源群がそれぞれ隣接する互いに対向する２つの端面から等距離にある中心線を想定すると、この中心線に対してその断面形状が互いに線対称となる。
【００３８】
つまり、第１の光混合領域１１と第２の光混合領域１２は、巨視的には中心線に向かって厚みを増すテーパー形状をなし、光出射領域１３は、第１の光混合領域１１及び第２の光混合領域１２と連続的につながった平板形状をなす。
【００３９】
なお、導光体１０の裏面側には、導光体を導波する光を導光体の表面側に出射させるための微細な形状が形成される。図６に示すように、第１の光混合領域１１及び第２の光混合領域１２では、導光体の裏面に導光体の表面と平行な微細な面と、導光体の中央に向かって導光体が厚くなる方向に角度αで傾斜した微細な面が交互に繰り返す形状を有する。この平行な微細面と傾斜した微細面の大きさや傾斜した微細面の角度αは、均一な光が出射するよう定めればよく、その位置によりその大きさを変化させるとよい。微細面の大きさは数μｍから数十μｍ、角度αは１〜４度が現実的な値である。このような裏面形状とすることで、近接する光源群に対しては光混合領域として機能し、離れた光源群に対しては光出射領域として機能する領域を実現できる。
【００４０】
また、光出射領域１３では、導光体内を導波する光の進行角度を変えるため、導光体の裏面には、導光体の表面に対して傾斜した多数の微細な凹凸面や段差、あるいは、図６に示すように、傾きの向きが逆である微細面を交互に繰り返す形状を備えるとよい。この微細面の大きさは数μｍから数十μｍ、導光体表面に対する傾き角度は±１〜４度が現実的な値である。このような裏面形状とすることで、両光源群からの光を共に導光体の表面側に出射する機能を実現できる。
【００４１】
次に、第１及び第２の光混合領域の大きさ（幅Ｌ）について説明する。図７は、光混合領域の幅Ｌを説明するための模式図である。光混合領域は、光源群２０又は２１を構成する複数の発光部から出射して、導光体１０に入射する光が互いに混じりあうための領域である。このため、導光体１０の端面からの光混合領域の幅Ｌを以下のとおりとすることが望ましい。
【００４２】
光源群を構成する複数の発光部が、図７に示すように、赤色発光部２３ＲＬ，２４ＲＬ、緑色発光部２３ＧＬ，２４ＧＬ、青色発光部２３ＢＬ，２４ＢＬなど、異なる色の発光部で構成される場合、異なる色の発光部の配列の繰り返しのピッチをｐとする。つまり、赤色発光部２３ＲＬ、緑色発光部２３ＧＬ、青色発光部２３ＢＬの次に、再び、赤色発光部２４ＲＬ、緑色発光部２４ＧＬ、青色発光部２４ＢＬと、同じ発光色の順で繰り返し配列する場合、例えば、青色発光部２３ＢＬと青色発光部２４ＢＬとの間隔をピッチｐとする。さらに、発光部から放射して導光板に入射する際の光の半値角をθ１、この光が導光体に入射して導光体内を進む角度をθ２、導光体と発光部の間の屈折率をｎ１、導光体の屈折率をｎ２とすると、光混合領域の導光体の端面からの幅Ｌは、次式で表される値以上とすることが望ましい。
Ｌ＝ｐ／２ｔａｎθ２
＝ｐ／２ｔａｎ（ｓｉｎ-1（ｎ１／ｎ２・ｓｉｎθ１））…式（１）
これは、近接する同じ発光色の発光部から放射する光の強さが正面方向の半分となる光が、混ざり合うのに最低限必要な幅であり、この幅以上とすることで光混合領域は機能することになる。
【００４３】
なお、図７では、赤色、緑色、青色の発光部を各１個ずつで繰り返して配列する場合を例示したが、これに限定されるものではない。例えば、現状の発光ダイオードは、緑色の効率が低いため、例えば、青色と赤色は各１個、緑色は２個で繰り返して配列する場合も、繰り返しの聞隔をピッチｐとすればよい。また、複数の発光部が同じ発光色であれば隣り合う発光部の間隔をｐとすればよい。
【００４４】
なお、導光体１０の材料としては、可視光に対して透明な樹脂を用いればよく、従来のエッジライト方式の導光体に主に用いられているアクリル樹脂やポリカーボネート樹脂や非晶性オレフィン樹脂を用いることができる。例えば、成形時の流動性がアクリル樹脂よりも高いＣＯＰ（シクロオレフィンポリマ）を用いることが、成形の際の歩留まりの向上に有効である。このような樹脂は、製品名ゼオノアとして日本ゼオンから市販されている。また、ＣＯＰは、アクリルよりも吸湿性が低いので、本実施例ように、厚さの変化が大きい導光板の場合には、吸湿によるそりの発生が抑制できるという効果がある。さらに、アクリルより密度が２０％低いため軽量化できるといった特徴がある。
【００４５】
なお、導光体の光混合領域では、導光体の表面粗さが大きいと、近接する光源群から導光体に入射する光が、導光体を導波する際に散乱し、導光体の表面側から出射して照明光の均一性を下げる要因となる。ここで、一般の光学部品では、表面粗さＲａは、利用波長の１／１０以下を求められている。本発明に係る照明装置の利用波長は可視波長（３８０〜７８０ｎｍ程度）なので、表面粗さＲａとしては、３８ｎｍ以下であることが望ましい。
【００４６】
導光体１０の裏面には、図１，２に示すように、光反射手段５０が配置されている。光反射手段５０は、導光体の裏面側に漏れ出る光を導光体側へ反射させて戻すもので、光を有効に利用するためのものである。光反射手段５０としては、高い反射率を有する反射面を樹脂板又は高分子フィルム等の支持基材上に形成したものを用いることができる。反射面は、支持基材上にアルミニウム、銀等の反射率の高い金属薄膜を蒸着法又はスパッタリング法等により成膜したもの、または、支持基材上に反射を高めるために誘電体多層膜を形成したもの、または、支持基材上に白色顔料をコートしたもの等を用いることができる。また、屈折率の異なる透明媒体を複数層積層することで反射手段として機能するようにしたものを用いてもよい。より具体的には、光反射手段５０として、支持基材フィルム上に拡散反射層を積層形成した反射シート（製品名レフスター、三井化学株式会社製）を用いることができる。
【００４７】
導光体１０の表面側には、図１，２に示すように、その全面を覆うように光路変換手段３０が配置されている。光路変換手段３０は、導光体１０から出射する光の進行方向を揃える機能を有するもので、少なくとも光源群２０，２１の長手方向と直交する方向において、光の進行方向を正面方向へ揃える機能を有するものである。
【００４８】
このような機能を実現する手段としては、特公平１−３７８０１号公報に記載されているような、その両面が平滑面と波形面で構成される透明シートを用いることができる。ここでは、図１，２に示すように、光路変換手段３０として、導光体１０側の面が平滑面で、もう一方の面が波形面で構成される透明シートを一枚用いる場合を説明する。このような透明シートは３Ｍ社（米国）から製品名ＲＢＥＦ、ＢＥＦIII、ウェーブフィルムといった名称で市販されており、本発明における光路変換手段として好適である。光路変換手段３０としては、波形面を構成するプリズムの平均ピッチが５０〜１００μｍ、プリズムの角度が約９０度である透明シートを、そのプリズムの稜線（長手方向）が光源群２０，２１の長手方向と略一致するように配置する。換言すると、導光体１０の表面側に、そのプリズムの稜線が導光体の第１の光混合領域１１と光出射領域１３又は第２の光混合領域１２と光出射領域１３との境界線の方向と略一致するような透明シートを配置する。なお、光路変換手段３０と導光体１０との間、または、光路変換手段３０の表画側には、必要に応じて図示しない光拡散手段を配置してもよい。
【００４９】
光路変換手段３０と導光体１０との間に配置する光拡散手段は、導光体１０から出射する光の出射角度分布及び輝度の面内均一性を向上するための手段である。光拡散手段としては、ＰＥＴ（ポリエチレンテレフタレート）、ＰＣ（ポリカーボネート）等の透明な高分子フィルムの表面に凹凸を形成したもの、または、高分子フィルムの表面に透明媒体中に透明媒体とは屈折率の異なる透光性の微粒子を混合した拡散層を形成したもの、または、板若しくはフィルムの内部に気泡を混入して拡散性を持たせたもの、または、アクリル樹脂等の透明部材中に白色顔料を分散させた乳白色部材等が使用できる。
【００５０】
光路変換手段３０の表面側に配置する光拡散手段は、光路変換手段３０を通過した光の出射角度分布及び輝度の面内均一性を向上するため手段である。また、光路変換手段３０として、上記透明シートを用いる場合は非常に傷が付きやすいため、光拡散手段は光路変換手段３０の保護層としても機能する。このような光拡散手段は、ＰＥＴ、ＰＣ等の透明な高分子フィルムの表面に凹凸を形成したもの、または、高分子フィルムの表面に透明媒体中に透明媒体とは屈折率の異なる透光性の微粒子を混合した拡散層を形成したもの、または、板若しくはフィルムの内部に気泡を混入して拡散性を持たせたもの、または、アクリル樹脂等の透明部材中に白色顔料を分散させた乳白色部材等が使用できる。
【００５１】
次に、本実施例の照明装置の動作を、図８を参照して説明する。図８は、本発明に係る照明装置の一部断面を示す概略構成図及び照明装置の位置に対する輝度の値を示す模式図である。
【００５２】
図８において、第１の光源群２０を構成する複数の発光部から出射して、導光体１０に入射する光は、第１の光混合領域１１において、互いに混ざり合いながら導光体１０内を導波する。この際、第１の光源群２０からの光は、第１の光混合領域１１では、導光体の表面側にほとんど出射しないため、混ざり合っていない光が大量に出射することはない。第１の光混合領域１１を通過した光は、光出射領域１３において、導光体の表面と導光体の裏面に設けた微小面とで反射しながら導光体内を進むが、この際、導光体の裏面に設けた傾斜した微小面で反射した光のうち、導光体の表面に全反射の条件からずれた角度、つまり、臨界角以下の角度で入射した光は導光体の表面から出射する。一方、光出射領域１３を通過する光は、第２の光混合領域１２において、導光体の裏面の傾斜した微小面で反射して導光板の表面から出射する。
【００５３】
このように、第１の光源群２０から出射して、導光体１０に入射した光は、その大部分が光出射領域１３及び第２の光混合領域１２から出射するが、その際、大部分の光は、第１の光源群２０から遠ざかる方向に傾いた方向（図中では右に傾いた方向）に出射する。導光体１０から出射する光は、光路変換手段３０に入射するが、その際、その進行方向が変わり、導光体表面に対し垂直な方向に揃えられる。その後、図示しない光拡散手段を通過して照明装置から出射する。
【００５４】
一方、第２の光源群２１を構成する複数の発光部から出射して、導光体１０に入射する光は、第２の光混合領域１２において、互いに混ざり合いながら導光体１０内を導波する。この際、第２の光源群２１からの光は、第２の光混合領域１２では、導光体の表面側にほとんどで出射しないため混ざり合っていない光が大量に出射することはない。第２の光混合領域１２を通過した光は、光出射領域１３において、導光体の表面と導光体の裏面に設けた微小面で反射しながら導光体内を進むが、この際、導光体の裏面に設けた傾斜した微小面で反射した光のうち、導光体の表面に全反射の条件からずれた角度、つまり、臨界角以下の角度で入射した光は導光体の表面から出射する。一方、光出射領域１３を通過する光は、第１の光混合領域１１において、導光体の裏面の傾斜した微小面で反射して導光板の表面から出射する。
【００５５】
このように、第２の光源群２１から出射して、導光体１０に入射した光は、その大部分が光出射領域１３及び第１の光混合領域１１から出射するが、その際、大部分の光は、第２の光源群２１から遠ざかる方向に傾いた方向（図中では左に傾いた方向）に出射する。導光体１０から出射する光は、光路変換手段３０に入射し、その際、その進行方向が変わり、導光体表面に対し垂直な方向に揃えられる。
【００５６】
つまり、第１の光源群２０と第２の光源群２１から出射して、導光体１０に入射する光は、導光体１０の表面側から出射する際、それぞれ光の主たる進行方向が異なる。このため、光の進行方向を揃えなければ、斜め方向から観察した際に、その位置により明るさが異なるという問題が発生する。本発明では、この課題を解決するため、進行方向が異なる光を、導光体表面に対し垂直な方向に揃える手段として、光路変換手段３０を備える。
【００５７】
また、光路変換手段３０として、上記部材を用いた場合は、正面（出射角度０度）の輝度を、光路変換手段３０を用いない場合の約１．３倍に向上できた。つまり、本発明に係る照明装置では、光路変換手段３０を用いることで、斜め方向から観察した際の輝度むらの防止及び輝度を向上することができるという効果がある。
【００５８】
なお、光路変換手段３０としては、導光体側の面が波形面であり、もう一方の面が平滑面で構成される透明シートを用いてもよい。この場合は、導光体１０の位置に応じて、導光体１０から出射する光の主たる進行方向が異なるので、それに合わせて波形面を構成するプリズムの頂角を位置により変えればよい。
【００５９】
このように、本発明に係る照明装置では、第１の光混合領域１１及び第２の光混合領域１２では、近接する光源群を構成する複数の発光部から出射して導光体に入射する光は互い混ざり合う間は導光体から出射する光の量が少なく、十分に混ざり合った光が導光体から出射することになるためより均一な照明光が得られる。
【００６０】
次に、本発明に係る照明装置における光出射領域１３の効果について説明する。図９は、第１の光混合領域１１と第２の光混合領域１２との間に、光出射領域がない場合の照明装置の一部断面を示す概略構成図及び照明装置の位置に対する輝度の値を示す模式図である。
【００６１】
図９において、第１の光源群２０と第２の光源群２１から出射して導光体１０に入射する光が導光体１０の表面側から出射する際、それぞれ光の主たる進行方向は異なる。つまり、第１の光源群２０からの光は導光体から出射する際、その主たる進行方向が第１の光源群２０から遠ざかる方向に傾いた方向（図中では右に傾いた方向）であり、第２の光源群２１からの光は導光体から出射する際、その主たる進行方向は第２の光源群２１から遠ざかる方向に傾いた方向（図中では左に傾いた方向）となる。光路変換手段３０により導光体から出射する光の進行方向は揃えられるが、第１の光混合領域１１における導光体の表面から出射する光と、第２の光混合領域１２における導光体の表面から出射する光の主たる進行方向は互いに遠ざかる方向であるため、導光体１０の中央部では光量が不足して、輝度が低下するという課題を生じる。
【００６２】
これに対して、本実施例では、第１の光混合領域１１と第２の光混合領域１２との間に、第１の光源群２０及び第２の光源群２１からの光を共に出射する光出射領域１３を設けることで、この課題が解決される。
【００６３】
既に説明した図８では、光出射領域１３がない図９の場合に比べてより均一な輝度分布が得られる。さらに、光出射領域がない場合には、第１及び第２の光混合領域を広くする必要ある。光混合領域は、巨視的には光源群から遠ざかるにつれて、その厚みが増えるテーパー形状である。このため、光混合領域が広くなると、その分導光体の厚みが増すことになる。したがって、本発明に係る照明装置では、光出射領域を設けることで、輝度の面内分布がより均一で、より薄い照明装置が実現できるという効果がある。
【００６４】
また、本発明に係る照明装置では、複数の発光部からの光を混ぜ合わせる光混合領域と光出射領域を兼用するため、額縁が小さい照明装置を実現できるという効果がある。また、本発明に係る照明装置では、上述のとおり、導光板の薄い部分に放熱部材を効率よく配置することで、裏面がフラットな薄型の照明装置が実現できる。また、本発明に係る照明装置では、両側に光源群を配置できるため、より高輝度かつ大面積に対応した照明装置を実現することができる。
【００６５】
なお、本発明に係る照明装置を別の観点から表現すると以下のとおりとなる。つまり、本発明に係る照明装置における導光体では、第１の光源群２０から出射して導光体１０に入射した光のうち、第１の光混合領域１１、光出射領域１３及び第２の光混合領域１２から導光体１０の表面側に出射する光の導光体表面における単位面積あたりの出射光量をそれぞれＬ０１１、Ｌ０１、Ｌ０１２とし、第２の光源群２１から出射して導光体１０に入射した光のうち、第１の光混合領域１１、光出射領域１３及び第２の光混合領域１２から導光体１０の表面側に出射する光の導光体表面における単位面積あたりの出射光量をそれぞれＬ０２１、Ｌ０２、Ｌ０２２とすると、
Ｌ０１１＜Ｌ０１＜Ｌ０１２、
Ｌ０２１＞Ｌ０２＞Ｌ０２２、
Ｌ０１１＜Ｌ０２１、
Ｌ０１２＞Ｌ０２２
の関係を全て満たす。
【００６６】
つまり、第１の光混合領域１１及び第２の光混合領域１２では、近接する光源群を構成する複数の発光部から出射して導光体に入射する光は、互いに混ざり合う前は導光体から出射する光の量が少なく、一方、十分に混ざり合った光は、導光体からより多く出射することになる。このため、複数の発光部から出射して導光体に入射する光のうち、十分に混ざり合っていない光は照明光として出射せず、十分に混ざり合った光が照明光として出射するため、均一性が高い照明光が得られる。したがって、本発明に係る照明装置は、
（Ｌ０１１＋Ｌ０２１）≒（Ｌ０１２＋Ｌ０２２）≦（Ｌ０１＋Ｌ０２）
の関係を満たす。これは、第１の光混合領域１１と第２の光混合領域１２から出射する光の量はほぼ同じであり、光出射領域１３から出射する光の量が第１の光混合領域１１と第２の光混合領域１２から出射する光の量と同等かそれよりも多いことを示す。
【００６７】
一般に、照明光の大きさは、照明装置の中央部に対して周辺部がやや低くても許容される。つまり、光を有効に利用するという観点では、全体の光量が同じである場合、中央部を周辺部よりもやや明るくすることが有効である。
【００６８】
本照明装置では、光出射領域１３は照明装置の中央部に相当する。このため、光出射領域１３において、導光体表面の単位面積当たりから出射する光の量が、第１の光混合領域１１及び第２の光混合領域１２において、導光体表面の単位面積当たりから出射する光の量と同等の場合には、明るさの面内均一性が高い照明装置が得られる。また、光出射領域１３において、導光体表面の単位面積当たりから出射する光の量が、第１の光混合領域１１及び第２の光混合領域１２において、導光体表面の単位面積当たりから出射する光の量よりもやや大きい場合、具体的には１〜１０％程度大きい場合は、中央部が効果的に明るくなった照明装置が得られる。
【実施例２】
【００６９】
次に、本発明に係る照明装置における導光体の他の実施例について説明する。図１０は、導光体の光混合領域とその近傍の構造を説明するための概略平面図である。この導光体は、図７を参照して説明した導光体１０に対し、光源群２５が近接する端面の形状を変えたものである。具体的には、光源群２５を構成する複数の発光部が近接する部分を円弧状に凹ましたものである。
【００７０】
つまり、図１０において、この導光体１５を備える照明装置では、導光体１５の端面に複数の円弧状の凹み部分を有し、その中心に対応する部分に、光源群を構成する複数の発光部を１対１に配置する。円弧状の凹み部分は、そこに、光源群を構成する複数の発光部を配置するため、発光部を覆う透明樹脂よりも大きな凹みとする。
【００７１】
ここで、図７を参照して説明したように、導光体の端面が平面である場合は、導光体の屈折率が、発光部と導光体の間の空間、すなわち、空気の屈折率よりも高いため、導光体の端面に斜めに入射する光は、スネルの法則に従い、その角度が小さくなる。つまり、光源群から出射し、導光体に入射する光は、その角度分布が狭くなる。
【００７２】
これに対し、本実施例のように、導光体の端面、つまり、光入射面が発光部を取り囲むような円弧状の凹み形状を成す場合、発光部から出射して、導光体に入射する光の大半は、導光体の端面に対してほぼ垂直に入射する。このため、発光部から出射した光は、導光体に入射する際、余り屈折せず、光源群から出射したときの角度分布をほぼ維持したまま導光体内を進む。このため、光混合領域の導光体の端面からの幅Ｌは、導光体の端面が平面である場合よりも短くすることができる。
【００７３】
この場合、光混合領域の幅Ｌが小さくなることで、より薄い照明装置が実現できる。つまり、光混合領域は、巨視的には光源群から遠ざかるにつれて、その厚みが増えるテーパー形状である。このため光混合領域が短くなれば、その分、導光体の厚みを小さくすることが可能になる。したがって、本発明に係る照明装置における導光体では、その端面、すなわち、光入射面に、円弧状の凹み部分を設けることで、より薄い照明装置が実現できるという効果がある。
【実施例３】
【００７４】
次に、本発明に係る照明装置における放熱部材の他の実施例について説明する。図１１は、本発明に係る照明装置の主要部の構成を示す概略斜視図である。本実施例は、図２を参照して説明した照明装置において、光源群に接続する放熱部材の形状が異なるものであり、既に説明した部分については説明を省略する。図２においては、２つの光源群２０，２１に対して、それぞれ放熱部材を接続していたが、ここでは、２つの光源群２０，２１に対して、１つの放熱部材４２を接続する。この際、導光体１０の光混合領域１１，１２の裏面に相当する部分では、光源群に近いところほど放熱部材を厚くすることで、放熱フィンの高さを確保して、放熱性を高める。一方、光出射領域１３の裏面に相当する部分では放熱部材を薄くする。
【００７５】
この場合、照明装置の裏面が平らになるため、デザイン性に優れた照明装置が実現できる。また、放熱部材４２を照明装置の構造部材、つまり、筐体の一部として兼用することで、部品点数が少なく、薄型の照明装置が実現できる。
【実施例４】
【００７６】
次に、本発明に係る照明装置を用いた表示装置について説明する。図１２は、本発明に係る表示装置の概略構成を示す一部断面図である。本表示装置は、画像情報に基づき光の透過光量を制御することで画像を表示する表示パネル２と、これを背面から照明する照明装置１とから構成される。表示パネル２としては、入射する光の透過光量を調節することで画像を表示する表示パネルを用いることができ、特に、長寿命でマトリクス表示が可能な液晶表示パネルを用いることができる。
【００７７】
表示パネル２は、照明装置１と組合せ、照明装置１からの光の透過光量を調整することで画像を表示する透過型や半透過反射型の液晶表示パネルを用いることができる。なお、表示パネル２には、パッシブ駆動方式やアクティブ駆動方式があるが、詳細な構成や動作については、周知であるので、ここでは、その説明は省略する。
【００７８】
液晶表示パネルとしては、偏光板を備え、液晶層に入射する光の偏光状態を制御することで画像表示を行うものが、比較的低い駆動電圧でコントラスト比の高い画像が得られることから望ましい。例えば、液晶表示パネルとしては、ＴＮ（Twisted Nematic）方式、ＳＴＮ（Super Twisted Nematic）方式、ＥＣＢ（Electrical Controlled Birefringence）方式などを用いることができる。また、広視野角を特徴とするＩＰＳ（In Plane Switching）方式、ＶＡ（Vertical Aligned）方式を用いることができる。
【００７９】
あるいは、液晶表示パネルとしては、上記方式を応用した半透過反射型を用いることができる。本実施例では、以下、液晶表示パネルとして、アクティブマトリクス方式を用いる場合の概要を説明するが、本発明は、これに限定されるものではない。
【００８０】
表示パネル２は、平坦かつ透明で光学的に等方なガラス又はプラスチックからなる第１の透明基板２００と第２の透明基板２１０とを有する。第１の透明基板２００には、カラーフィルターや、ポリイミド系高分子からなる配向膜（いずれも不図示）が積層されている。第２の透明基板２１０には、マトリクス状に配置した複数の画素を形成する電極、信号電極、走査電極、薄膜トランジスタ等からなるスイッチング素子、配向膜等（いずれも不図示）が形成されている。
【００８１】
２枚の透明基板２００、２１０は、配向膜形成面を向かい合わせ、図示しないスペーサーにより一定の間隙を設けた状態で、枠状のシール材４００で周囲を接着して、内部に空間を形成する。この空間に液晶を封入して、封止することで液晶層１００が形成される。液晶層１００は、２枚の透明基板２００、２１０上に形成された配向膜に施される配向処理により、その液晶分子長軸の配向方向が規定される。
【００８２】
第１の透明基板２００の観察者側の面（表面）と第２の透明基板２１０の観察者側とは反対側の面（裏面）には、それぞれ第１の光学フィルム３００と第２の光学フィルム３１０を備える。第１の光学フィルム３００と第２の光学フィルム３１０は、それぞれ少なくとも１つの偏光層を含むものであり、適用する液晶表示モードに応じて、適切な位相差層を含んでもよい。偏光層は、これに入射する光のうち、互いに直交する直線偏光成分の一方を透過し、他方を吸収するものである。
【００８３】
偏光層としては、例えば、ヨウ素や有機染料などの２色性の材料を染色又は吸着させたポリビニルアルコールなどからなる基材フィルムを延伸し、２色性の材料を配向させることで、吸収２色性を発現したものを用い、その両側をトリアセチルセルロースフィルムなどからなる２枚の透明保護フィルムで挟んだ構造のものを用いることができる。
【００８４】
なお、第２の光学フィルム３１０を構成するフィルムとしては、偏光層で吸収される直線偏光成分は反射し、これ以外の光は透過する反射型の偏光フィルムを含んでもよい。この場合、偏光層で吸収される光の量が減り、より明るい画像が得られるようになる。
【００８５】
第１の光学フィルム３００と第２の光学フィルム３１０は、それぞれ図示しない粘着層を介して、第１の透明基板２００と第２の透明基板２１０に固定される。第１の透明基板２００と第２の透明基板２１０が重なる表示領域内で、照明装置１からの光の透過量を変調することで、２次元画像を表示する。また、第１の光学フィルム３００と第２の光学フィルム３１０は、共に表示領域以上の面積を有し、表示領域を全て覆うように配置する。
【００８６】
照明装置１としては、これまで説明した照明装置を用いる。表示パネル２は、表示面のアスペクト比（縦横比）が３：４、４：５、又は、９：１６の横長の表示面が一般的であり、通常は、表示面の長手方向が水平方向と一致するように設置する。この際、照明装置１を構成する第１の光源群２０及び第２の光源群２１は、その光源群を構成する複数の発光部の配列の長手方向が、表示パネル２の表示面の長手方向、つまり、水平方向と実質的に一致するように構成し、これに従い光路変換手段３０の波形面を構成するプリズムの稜線の長手方向も表示パネル２の表示面の水平方向と実質的に一致するよう構成することが望ましい。
【００８７】
このような構成により、照明装置１から出射する光は、表示面の垂直方向に絞られた光となる。つまり、表示面の垂直方向は、水平方向よりも輝度の視野角が狭くなる。このことは、一般に、表示装置では垂直方向よりも水平方向により広い視野角が求められており、限られた光を観察者へ効率よく配分する上で非常に有効である。
【００８８】
本表示装置を構成する照明装置では、狭額縁かつ薄型で、輝度の面内分布が均一な照明光を出射する照明装置が実現できる。したがって、高品位な画像表示が得られ、狭額縁かつ薄型な表示装置が実現できる。
【図面の簡単な説明】
【００８９】
【図１】本発明に係る照明装置の主要部の概略構成を示す一部断面図
【図２】図１に示す照明装置の分解斜視図
【図３】図１に示す光源群の一例を示す平面図
【図４】図３に示す光源群の一部概略断面図
【図５】図１に示す光源群と放熱部材の関係を説明する概略断面図
【図６】図１に示す導光体の一部拡大図
【図７】図１に示す導光体の光混合領域の幅Ｌを説明するための模式図
【図８】図１に示す照明装置の光路の説明図及び輝度分布図
【図９】図８において、光出射領域がない場合の光路の説明図及び輝度分布図
【図１０】図７に示す導光体の他の概略平面図
【図１１】図２に示す放熱部材の他の概略斜視図
【図１２】本発明に係る表示装置の概略構成を示す一部断面図
【符号の説明】
【００９０】
１…照明装置、２…液晶表示パネル、１０…導光体、１１…第１の光混合領域、１２…第２の光混合領域、１３…光出射領域、２０…第１の光源群、２１…第２の光源群、２２ＲＷ…赤色用配線、２２ＧＷ…緑色用配線、２２ＢＷ…青色用配線、２３ＲＬ…赤色発光部、２３ＧＬ…緑色発光部、２３ＢＬ…青色発光部、２５…透明樹脂、２６…放熱基板、２７…絶縁層、３０…光路変換手段、４０，４１，４２…放熱部材、５０…光反射手段、１００…液晶層、２００…第１の透明基板、２１０…第２の透明基板、３００…第１の光学フィルム、３１０…第２の光学フィルム
【図１】
2008171590.tif 000003
【図２】
2008171590.tif 000004
【図３】
2008171590.tif 000005
【図４】
2008171590.tif 000006
【図５】
2008171590.tif 000007
【図６】
2008171590.tif 000008
【図７】
2008171590.tif 000009
【図８】
2008171590.tif 000010
【図９】
2008171590.tif 000011
【図１０】
2008171590.tif 000012
【図１１】
2008171590.tif 000013
【図１２】
2008171590.tif 000014